(57)【要約】      （修正有）【課題】複数の導光板の端面同士を接続する構成でも、隣接する各導光板の端面間の継ぎ目付近での輝度むらを抑えることができるエッジライト方式の照明装置を提供する。【解決手段】導光板の入射端面に発光ユニットが設置されたエッジライト方式の照明装置であって、導光板２は、底面に所定ピッチで形成されたＸ軸方向に平行な複数の凹条と、出射面に所定ピッチで形成されたＹ軸方向に平行な複数の凸条を有しており、導光板２の底面に形成された凹条は、断面がＶ字形状で頂角が６５°〜１０５°に形成されており、照明装置をＸ軸方向に沿って複数接続する場合に、隣接する導光板のＹ軸方向に沿った端面間の継ぎ目部Ａに１〜２ｍｍの隙間を設けて保持し、かつ継ぎ目部Ａ付近の入射端面２ａ近傍にはＬＥＤを設けなく、継ぎ目部Ａから所定距離（ｄ１）離れた入射端面２ａ側にＬＥＤ８を所定間隔で設置する。【選択図】図１３
0003209438.tif 000002
【実用新案登録請求の範囲】
【請求項１】
樹脂材からなる導光板の少なくとも一方の側面側に一次光源が設置され、前記導光板は、出射面、該出射面に対向する底面、及び少なくとも一側面に設けられた前記一次光源から出射された光を入射させる入射端面を有するエッジライト方式の照明装置であって、
Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、
前記導光板は、前記底面に所定ピッチで形成されたＸ軸方向に平行な複数の凹条パターンと、前記出射面に所定ピッチで形成されたＹ軸方向に平行な複数の凸条パターンを有しており、
前記導光板の底面に形成された前記凹条パターンは、断面がＶ字形状で頂角が６５°〜１０５°に形成されており、
前記照明装置をＸ軸方向に沿って複数接続する場合に、隣接する前記照明装置の各導光板間の継ぎ目部分のＸ軸方向に沿った前記導光板の側面近傍には前記一次光源を設けなく、前記継ぎ目部分から所定距離離れたＸ軸方向に沿った前記導光板の側面に前記一次光源を所定間隔で設置することを特徴とする照明装置。
【請求項２】
樹脂材からなる導光板の少なくとも一方の側面側に一次光源が設置され、前記導光板は、出射面、該出射面に対向する底面、及び少なくとも一側面に設けられた前記一次光源から出射された光を入射させる入射端面を有するエッジライト方式の照明装置であって、
Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、
前記導光板は、前記底面に所定ピッチで形成されたＸ軸方向に平行な複数の凹条パターンと、前記出射面に所定ピッチで形成されたＹ軸方向に平行な複数の凸条パターンを有しており、
前記導光板の底面に形成された前記凹条パターンは、断面がＶ字形状で頂角が１２０°〜１５０°に形成されており、
前記照明装置をＸ軸方向に沿って複数接続する場合に、隣接する前記照明装置の各導光板間の継ぎ目部分のＸ軸方向に沿った前記導光板の側面近傍には前記一次光源を設けなく、前記継ぎ目部分から所定距離離れたＸ軸方向に沿った前記導光板の側面に前記一次光源を所定間隔で設置することを特徴とする照明装置。
【請求項３】
前記導光板の出射面に形成された前記凸条パターンは、断面が台形状又はレンチキュラーレンズ形状又は放物線状であることを特徴とする請求項１又は２に記載の照明装置。
【請求項４】
前記導光板の底面側には光を反射する反射シートを有し、前記導光板の出射面側には光を均一に拡散する拡散シートを有していることを特徴とする請求項１乃至３のいずれか一項に記載の照明装置。
【請求項５】
前記導光板の底面側に、光を反射する反射シートを有していることを特徴とする請求項１乃至３のいずれか一項に記載の照明装置。
【請求項６】
前記継ぎ目部分のＸ軸方向に沿った中間部から、隣接する一方の前記導光板の側面の前記継ぎ目側に最近接した位置に設ける前記一次光源までの距離は、１〜５ｍｍであることを特徴とする請求項１乃至５のいずれか一項に記載の照明装置。
【考案の詳細な説明】
【技術分野】
【０００１】
本考案は、導光板の少なくとも一方の側面側に配置したＬＥＤ等の一次光源から光を導光板内に入射して、該導光板の一方の主面（出射面）から光を出射するエッジライト方式の照明装置に関し、詳しくは、複数の導光板の端面同士を接続して長尺化した構成のエッジライト方式の照明装置に関する。
【背景技術】
【０００２】
百貨店や家電量販店、ショッピングセンターなどの大型施設には、利用者のフロア移動を容易にするために、下階と上階との間にエスカレータが設置されている。
【０００３】
一般的に、下階側に下りるエスカレータと上階側に上がるエスカレータは、上下方向に重なるように設置されている。このため、上側に位置するエスカレータ（例えば、上階側に上がるエスカレータ）の下面には、その下方側（下側に位置するエスカレータ周辺）を照明するための照明装置がエスカレータの長手方向に沿って設けられている（例えば、特許文献１参照）。
【０００４】
特許文献１には、エスカレータの下面に設けたエッジライト方式の照明装置（照明器具）が開示されている。エッジライト方式の照明装置は、導光板の少なくとも一方の側面側に配置した一次光源（ＬＥＤ等）から光を導光板内に入射し、該導光板の一方の主面（出射面）全体から光を出射させることができる。
【０００５】
また、同じフロアの通路においては、安全上の観点から利用者の足元を明るく照らす必要があるため、蛍光灯に代表される照明装置が、通路の天井に連続的あるいは不連続的に設置されている。
【先行技術文献】
【特許文献】
【０００６】
【特許文献１】特開２００４−１８９４７８号公報（図１、図７等）
【考案の概要】
【考案が解決しようとする課題】
【０００７】
ところでエッジライト方式の照明装置には、ＰＭＭＡ（ポリメチルメタクリレート）などの透明高分子からなる透明板状の導光板が設置されており、当該導光板の底面には、白色ドット（散乱ドット）が印刷され、このドットの大きさ、密度等を調整することにより、導光板内を伝播している光の一部が、白色ドットにあたった時、散乱されて、視認（出射面）方向へと出射される。更に、導光板の出射面上には、導光板から出射された光を一様に散乱させることによって表面品位を向上させるために拡散板が設置されている。
【０００８】
しなしながら、光学的には照明装置の直下方向の照度を高くすることが困難であるため、エッジライト方式の照明装置よりも、直下方式の照明装置、例えば、蛍光灯を光源として、その出射面側に化粧板を載せた構成が主流となっている。
【０００９】
また、施工時の取り扱い性から、照明装置の長手方向の長さは、最大でも１０００〜１５００ｍｍ程度である。このため、例えば全長が１０〜１５ｍ程度あるエスカレータの底部に照明装置を設置する場合には、エスカレータの全長にわたって複数の照明装置を接続して長尺化する必要がある。
【００１０】
ところで、直下方式の照明装置として、先述した蛍光灯を使用した場合、蛍光灯の両端には、金属口金があるため、ここは発光することができない。このため、隣接する照明装置間の継ぎ目（繋ぎ目）が暗部となって、見栄えが悪くなる。
【００１１】
そこで、本考案は、エッジライト方式の照明装置であっても、直下方向を明るく照らすことができ、かつ複数の導光板の端面同士を接続する構成でも、隣接する各導光板の端面間の継ぎ目付近での輝度むらを抑えることができるエッジライト方式の照明装置を提供することを目的とする。
【課題を解決するための手段】
【００１２】
前記目的を達成するために請求項１に記載の照明装置は、樹脂材からなる導光板の少なくとも一方の側面側に一次光源が設置され、前記導光板は、出射面、該出射面に対向する底面、及び少なくとも一側面に設けられた前記一次光源から出射された光を入射させる入射端面を有するエッジライト方式の照明装置であって、Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、前記導光板は、前記底面に所定ピッチで形成されたＸ軸方向に平行な複数の凹条パターンと、前記出射面に所定ピッチで形成されたＹ軸方向に平行な複数の凸条パターンを有しており、前記導光板の底面に形成された前記凹条パターンは、断面がＶ字形状で頂角が６５°〜１０５°に形成されており、前記照明装置をＸ軸方向に沿って複数接続する場合に、隣接する前記照明装置の各導光板間の継ぎ目部分のＸ軸方向に沿った前記導光板の側面近傍には前記一次光源を設けなく、前記継ぎ目部分から所定距離離れたＸ軸方向に沿った前記導光板の側面に前記一次光源を所定間隔で設置することを特徴としている。
【００１３】
請求項２に記載の照明装置は、樹脂材からなる導光板の少なくとも一方の側面側に一次光源が設置され、前記導光板は、出射面、該出射面に対向する底面、及び少なくとも一側面に設けられた前記一次光源から出射された光を入射させる入射端面を有するエッジライト方式の照明装置であって、Ｘ軸と、Ｘ軸に直交するＹ軸で構成されるＸ−Ｙ平面の法線をＺ軸として、前記一次光源はＸ軸に平行に配置しており、前記導光板は前記Ｘ−Ｙ平面に平行に配置しており、前記導光板の入射端面はＸ−Ｚ平面に平行であり、前記導光板は、前記底面に所定ピッチで形成されたＸ軸方向に平行な複数の凹条パターンと、前記出射面に所定ピッチで形成されたＹ軸方向に平行な複数の凸条パターンを有しており、前記導光板の底面に形成された前記凹条パターンは、断面がＶ字形状で頂角が１２０°〜１５０°に形成されており、前記照明装置をＸ軸方向に沿って複数接続する場合に、隣接する前記照明装置の各導光板間の継ぎ目部分のＸ軸方向に沿った前記導光板の側面近傍には前記一次光源を設けなく、前記継ぎ目部分から所定距離離れたＸ軸方向に沿った前記導光板の側面に前記一次光源を所定間隔で設置することを特徴としている。
【００１４】
請求項３に記載の照明装置は、前記導光板の出射面に形成された前記凸条パターンが、断面が台形状又はレンチキュラーレンズ形状又は放物線状であることを特徴としている。
【００１５】
請求項４に記載の照明装置は、前記導光板の底面側には光を反射する反射シートを有し、前記導光板の出射面側には光を均一に拡散する拡散シートを有していることを特徴としている。
【００１６】
請求項５に記載の照明装置は、前記導光板の底面側に、光を反射する反射シートを有していることを特徴としている。
【００１７】
請求項６に記載の照明装置は、前記継ぎ目部分のＸ軸方向に沿った中間部から、隣接する一方の前記導光板の側面の前記継ぎ目側に最近接した位置に設ける前記一次光源までの距離は、１〜５ｍｍであることを特徴としている。
【考案の効果】
【００１８】
本考案に係る照明装置によれば、照明装置をＸ軸方向に沿って複数接続する場合に、隣接する照明装置の各導光板間の継ぎ目部分のＸ軸方向に沿った導光板の側面近傍には一次光源を設けなく、継ぎ目部分から所定距離離れたＸ軸方向に沿った導光板の側面に一次光源を所定間隔で設置することにより、導光板に線膨張による伸縮が生じた場合でも、この継ぎ目部分で隣接する導光板の端面同士が干渉することが防止され、また、この継ぎ目付近で、一次光源を設けた側の側面付近の輝度が高くなることが抑えられて、継ぎ目付近での継ぎ目方向に沿った輝度むらを小さくすることができる。
【図面の簡単な説明】
【００１９】
【図１】本考案の実施形態に係る照明装置を備えたエスカレータの下面側を示す概略斜視図。
【図２】本考案の実施形態に係るエッジライト方式の照明装置を示す分解斜視図。
【図３】図２のＡ−Ａ線断面図。
【図４】本実施形態に係る照明装置の短辺側を示す概略側面図。
【図５】本実施形態に係る照明装置において、導光板の底面に形成された断面Ｖ字状の凹条の頂角が７０°で、出射面側に拡散シートを設けていないときの、導光板の出射面から出射された光の光度分布の測定結果を示した図。
【図６】（ａ）は、本実施形態に係る照明装置の導光板の出射面側を示す図、（ｂ）は、図６（ａ）のＢ−Ｂ線断面図。
【図７】本実施形態に係る照明装置において、導光板の底面に形成された断面Ｖ字状の凹条の頂角が７０°で、出射面側に拡散シートを設けているときの、導光板の出射面から出射された光の光度分布の測定結果を示した図。
【図８】本実施形態の変形例に係る照明装置の短辺側を示す概略側面図。
【図９】図８に示した本実施形態の変形例に係る照明装置において、導光板の底面に形成したＶ字状の凹条の頂角を変化させたときの、導光板の出射面から出射された光の光度分布の測定結果を示した図。
【図１０】（ａ）は、本実施形態の変形例に係る照明装置の導光板の出射面側を示す図、（ｂ）は、図１０（ａ）のＣ−Ｃ線断面図。
【図１１】本実施形態の変形例に係る照明装置において、導光板の底面に形成された断面Ｖ字状の凹条の頂角が１３０°で、出射面側に拡散シートを設けているときの、導光板の出射面から出射された光の光度分布の測定結果を示した図。
【図１２】本考案の実施形態に係る照明装置を、エスカレータの下面側面に保持した状態を示す概略断面図。
【図１３】本考案の実施形態（実施例１）における、隣接する各導光板の端面間の継ぎ目付近を示す平面図。
【図１４】比較例１における、隣接する各導光板の端面間の継ぎ目付近を示す平面図。
【図１５】本考案の実施形態（実施例１）における、隣接する各導光板の端面間の継ぎ目付近の導光板の長手方向に沿った輝度の測定結果を示した図であり、（ａ）は継ぎ目の隙間が０ｍｍのときの測定結果、（ｂ）は継ぎ目の隙間が２ｍｍのときの測定結果、（ｃ）は継ぎ目の隙間が５ｍｍのときの測定結果である。
【図１６】比較例１における、隣接する各導光板の端面間の継ぎ目付近の導光板の長手方向に沿った輝度の測定結果を示した図であり、（ａ）は継ぎ目の隙間が０ｍｍのときの測定結果、（ｂ）は継ぎ目の隙間が２ｍｍのときの測定結果、（ｃ）は継ぎ目の隙間が５ｍｍのときの測定結果である。
【図１７】（ａ）は、比較例２における、隣接する各導光板の端面間の継ぎ目付近を示す側面図、（ｂ）は、その平面図。
【図１８】（ａ）は、比較例３における、隣接する各導光板の端面間の継ぎ目付近を示す側面図、（ｂ）は、その平面図。
【図１９】比較例２における、隣接する各導光板の端面同士の継ぎ目付近の導光板の長手方向に沿った輝度の測定結果を示した図であり、（ａ）は継ぎ目の幅が１０ｍｍのときの測定結果、（ｂ）は継ぎ目の幅が５ｍｍのときの測定結果である。
【図２０】比較例３における、隣接する各導光板の端面間の継ぎ目付近の導光板の長手方向に沿った輝度の測定結果を示した図であり、（ａ）は継ぎ目の幅が１０ｍｍのときの測定結果、（ｂ）は継ぎ目の幅が５ｍｍのときの測定結果である。
【図２１】（ａ）は、本考案の実施形態の第１変形例における、隣接する各導光板が所定角度で保持されている場合の端面間の継ぎ目付近を示す側面図、（ｂ）は、その平面図。
【図２２】（ａ）は、本考案の実施形態の第２変形例における、隣接する各導光板が所定角度で保持されている場合の端面間の継ぎ目付近を示す側面図、（ｂ）は、その平面図。
【図２３】図２１に示した本考案の実施形態の第１変形例における、隣接する各導光板の端面間の継ぎ目付近の導光板の長手方向に沿った輝度の測定結果を示した図。
【考案を実施するための形態】
【００２０】
図１は、本考案の実施形態に係る照明装置を備えたエスカレータの下面側を示す概略斜視図である。なお、本実施形態に係る照明装置は、導光板の少なくとも一方の側面側に配置した一次光源（ＬＥＤ）から光を導光板内に入射し、該導光板の一方の主面（出射面）全体から光を出射させることで、面状の光を出射するエッジライト方式の照明装置である。
【００２１】
図１に示すように、例えば、下階側への下り用の第１エスカレータ１０と上階側への上り用の第２エスカレータ１１は、上下方向に重なるように設置されており、上側に位置する第２エスカレータ１１の下面１１ａの両側には、その下方側の第１エスカレータ１０周辺を照明するためのエッジライト方式の照明装置（以下、単に「照明装置」という）１が、該第２エスカレータ１１の長手方向に沿って複数連結されるようにして設置されている。
【００２２】
このように、複数の照明装置１の端面同士を第２エスカレータ１１の長手方向に沿って連結することで、第２エスカレータ１１の長手方向に沿って長尺状の面状光を出射する薄型化された長尺照明装置を構成している。
【００２３】
（照明装置１の構成）
図２は、本考案の実施形態に係る照明装置を示す分解斜視図、図３は、図２のＡ−Ａ線断面図である。なお、本実施形態に係る照明装置では、Ｘ軸と、Ｘ軸に直交するＹ軸で構成されるＸ−Ｙ平面の法線をＺ軸とし、Ｚ軸方向が光の出射方向としている。
【００２４】
図２、図３に示すように、本実施形態に係る照明装置１は、透明樹脂（例えば、アクリル樹脂）などから形成された透明構造体である導光板２、この導光板２のＹ軸方向の一方の端面（以下、「入射端面」という）２ａ側に配置された発光ユニット３、導光板２の背面（以下、「底面」という）２ｂ側に設置された反射シート４、導光板２の前面（以下、「出射面」という）２ｃ側に設置された拡散シート５を主構成部材として備えている。
【００２５】
図２に示すように、この照明装置１の導光板２は、長辺がＸ軸方向であり、一方の長辺（Ｘ軸方向）に沿って発光ユニット３が配置されている。なお、図１に示したように、この照明装置１を第２エスカレータ１１の下面１１ａの両側に設置する場合には、反射シート４側（底面２ｂ側）が下面１１ａ側の面に位置し、拡散シート５側（出射面２ｃ側）から下方（第１エスカレータ１０側）に向けて光が出射される。
【００２６】
導光板２の底面２ｂには、Ｘ軸方向（長辺方向）に延びる凹条６が所定のピッチで複数形成されている。また、導光板２の出射面２ｃには、Ｙ軸方向（短辺方向）に延びる凸条７のパターンが所定のピッチで複数形成されている（導光板２の詳細については後述する）。
【００２７】
一次光源としての発光ユニット３は、導光板２の入射端面２ａにＸ軸方向に沿って配置されており、発光ユニット３内には、導光板２のＸ軸方向に沿って直線状に所定間隔で光源としてのＬＥＤ８が複数配置されている。ＬＥＤ８の配置間隔は、例えば数ｍｍ〜２０ｍｍ程度である。このＬＥＤ８は、白色光（白色ＬＥＤ）が主に使用されている。
【００２８】
発光ユニット３の各ＬＥＤ（光源）８から発せられた光は、導光板２の入射端面２ａから導光板２内のＹ軸方向へ入射される。
【００２９】
反射シート４は、導光板２の入射端面２ａ側から入射された光のうちの導光板２の底面２ｂから外へ出射した光を、再度導光板２へ入射させる機能を有している。この反射シート４は、反射率９５％以上のものが光の利用効率が高く望ましい。反射シート４の材質は、アルミ、銀、ステンレスなどの金属箔や、白色塗装、発泡ＰＥＴ（ポリエチレンテレフタレート）樹脂などが挙げられる。
【００３０】
導光板２の前面側である出射面２ｃ側に設置された拡散シート５は、導光板２の出射面２ｃから出射された光を適度に均一化させて、明暗むらを抑制して外観を向上させる機能を有している。
【００３１】
上記したようなエスカレータの下面や、オフィスや住宅の天井面等に設置される照明装置１は、直接照明装置１の発光面が視認されるので外観品位が重視されるため、拡散シート５を１枚ないしは複数枚使用することがある。この拡散シート５は、拡散性を有する樹脂で作製された板状物（例えば、ＰＭＭＡ、ＰＣ等）でもよく、これらの板を熱成形して３次元形状に加工した保護カバー状であってもよい。
【００３２】
なお、導光板２の出射面２ｃ側への拡散シート５の設置は必須ではなく、照明装置１の設置場所や用途等に応じては拡散シート５を省略してもよい。
【００３３】
また、複数の照明装置１を、図１に示す第２エスカレータ１１（下面１１ａの両側）の長手方向に沿って配置して長尺照明装置とするために、隣接する照明装置１の各導光板２の端面同士が接続されている（本考案の特徴である、隣接する照明装置１の各導光板２の端面間の継ぎ目付近の詳細構成については後述する）。なお、前記照明装置１は、複数個の照明装置１を一体にした状態で用いられてもよい。
【００３４】
（導光板２の構成）
図２に示したように、導光板２の底面２ｂには、所定のピッチで形成された凹条６が形成されている。この凹条６は断面形状がＶ字状（Ｖ溝状）に形成されており、Ｘ軸方向に延びている。図４に示すように、本実施形態では、断面形状がＶ字状の凹条６の頂角（θ）は６５°〜１０５°の範囲に設定され、より好ましくは７０°〜１００°の範囲に設定されている。また、凹条６の高さ（深さ）は、０．００１〜０．１ｍｍ程度の範囲内で設定され、より好ましくは０．００３〜０．０２ｍｍの範囲内で設定されている。
【００３５】
図２に示した照明装置１において、導光板２の入射端面２ａ側から入射した光のうち、導光板２の出射面２ｃから出射される光の主たるものは、導光板２の底面２ｂに形成した断面形状がＶ字状の凹条６の斜面により全反射されて、出射面２ｃの略正面方向（Ｚ軸方向）に出射する光である。
【００３６】
また、導光板２の出射面２ｃには、本実施形態では断面形状がレンチキュラーレンズ形状の凸条７が所定のピッチで形成されており、Ｙ軸方向に延びている。この出射面２ｃの凸条７は、出射面２ｃの略正面方向（Ｚ軸方向）に出射する光を透過して出射させ、底面２ｂの凹条６側から出射面２ｃの略正面方向（Ｚ軸方向）以外の角度で凸条７に入射した光をこの凸条７内で全反射させて、導光板２に戻す機能を有している。そして、再度導光板２の底面２ｂに形成した断面形状がＶ字状の凹条６の斜面で全反射させて、出射面２ｃの略正面方向（Ｚ軸方向）に出射させる。
【００３７】
このように、導光板２の出射面２ｃに形成した断面形状がレンチキュラーレンズ形状の凸条７によって、出射面２ｃの略正面方向（Ｚ軸方向）から出射する光の光度を向上させることができる。
【００３８】
なお、導光板２の出射面２ｃに形成した凸条７は、本実施形態では断面形状がレンチキュラーレンズ形状であったが、これ以外にも断面形状が台形状や放物線状でもよい。
【００３９】
図５は、この照明装置１において、導光板２の出射面２ｃに形成したレンチキュラーレンズ形状の凸条７のアスペクト比を２０％に設定して、導光板２の底面２ｂに形成した断面がＶ字状の凹条６の頂角（θ）を７０°に設定したときの、導光板２の出射面２ｃから出射された光の光度分布の測定結果である。
【００４０】
前記アスペクト比は、レンチキュラーレンズの垂直断面をトレースする円の半径をＲとし、レンチキュラーレンズを形成する円弧の頂点から弦までの距離をｒとすると、ｒ／２Ｒ（％）で定義される。なお、この測定では、出射面２ｃ側の拡散シート５は取り外している。
【００４１】
図５に示した光度分布の測定結果において、図６（ａ），（ｂ）に示すように、導光板２の中央部ｃが測定点であり、導光板２の出射面２ｃの正面方向（Ｚ軸方向）を出射角度０°とし、Ｚ−Ｙ平面において、Ｚ軸と＋（プラス）Ｙ軸とのなす角が−９０°で、Ｚ軸と−（マイナス）Ｙ軸とのなす角が＋９０°である。なお、図６（ｂ）は、図６（ａ）のＢ−Ｂ線断面図である。図６（ｂ）において、矢印Ａ方向は、出射面２ｃから出射される光（照明光）の出射方向であり、出射面２ｃの正面方向（Ｚ軸方向）に対して少し発光ユニット３側方向である。
【００４２】
このように、導光板２の底面２ｂに頂角が７０°の断面がＶ字状の凹条６を形成し、導光板２の出射面２ｃに断面がレンチキュラーレンズ形状（又は、断面が台形状や放物線状）の凸条７を形成している場合、導光板２の出射面２ｃから面状光が出射され、かつ出射面２ｃの略正面方向（Ｚ軸方向）に光度の高い光を出射させることができる。
【００４３】
そして、同様の条件で導光板２の出射面２ｃ側に拡散シート５を配置した場合（図２参照）には、図７に示すように、出射面２ｃの略正面方向（Ｚ軸方向）に出射する光を適度に拡散して、光度分布を滑らかにし、出射面２ｃの略正面方向（Ｚ軸方向）に光度の高い光を出射させることができる。
【００４４】
なお、上記した光度分布の測定では、導光板２の底面２ｂに形成した断面がＶ字状の凹条６の頂角を７０°に設定したが、凹条６の頂角を６５°〜１０５°程度の範囲に設定した場合においても、同様に導光板２の出射面２ｃから面状光が出射され、かつ出射面２ｃの略正面方向（Ｚ軸方向）に光度の高い光を出射させることができた。
【００４５】
よって、第２エスカレータ１１の下面１１ａの両側にこの照明装置１を複数接続して配置することで、各照明装置１の出射面２ｃから、下方にある第１エスカレータ１０側に光度の高い光（照明光）を出射して、第１エスカレータ１０周辺を明るく照明することができる。
【００４６】
また、図１に示したように、本実施形態では、上側に位置する第２エスカレータ１１の下面１１ａの両側に照明装置１を設けている。このため、下方の第１エスカレータ１０の中央付近側をより明るく照明するには、照明装置の出射面から、第１エスカレータ１０の中央付近側に高い指向性を有する（光度分布に異方性を有する）光度の高い光を出射する必要がある。
【００４７】
そこで、照明装置の出射面から、光度分布に異方性を有し、かつ光度の高い光を出射させる場合には、図８に示す照明装置１ａのように、導光板２の底面２ｂに形成した断面がＶ字状の凹条６の頂角（θ）を１２０°〜１５０°の範囲に設定する。他の構成は、図２〜図４に示した照明装置１と同様である。
【００４８】
図９は、この照明装置１ａにおいて、導光板２の出射面２ｃに形成したレンチキュラーレンズ形状の凸条７のアスペクト比を２０％に設定して、導光板２の底面２ｂに形成したＶ字状の凹条６の頂角（θ）を変化（１２０°〜１５０°の間で変化）させたときの、導光板２の出射面２ｃから出射された光の光度分布の測定結果である。
【００４９】
このアスペクト比は、レンチキュラーレンズの垂直断面をトレースする円の半径をＲとし、レンチキュラーレンズを形成する円弧の頂点から弦までの距離をｒとすると、ｒ／２Ｒ（％）で定義される。なお、この測定では、出射面２ｃ側の拡散シート５は取り外している。
【００５０】
図９に示した光度分布の測定結果において、図１０（ａ），（ｂ）に示すように、導光板２の中央部ｃが測定点であり、導光板２の出射面２ｃの正面方向（Ｚ軸方向）を出射角度０°とし、Ｚ−Ｙ平面において、Ｙ軸方向の発光ユニット３側が−９０°で、Ｙ軸方向の発光ユニット３と反対側が＋９０°である。なお、図１０（ｂ）は、図１０（ａ）のＣ−Ｃ線断面図である。図１０（ｂ）において、矢印Ａ方向は、出射面２ｃからの光（照明光）の出射方向（発光ユニット３と反対側の斜め下方側方向）である。
【００５１】
図９において、ａは凹条６の頂角（θ）が１２０°、ｂは凹条６の頂角（θ）が１３０°、ｃは凹条６の頂角（θ）が１４０°、ｄは凹条６の頂角（θ）が１５０°のときの各光度分布であり、凹条６の頂角（θ）が１２０°のときの最大光度値で規格化してある。
【００５２】
図９に示した測定結果から明らかなように、導光板２の底面２ｂに形成したＶ字状の凹条６の頂角（θ）を１２０°〜１５０°に設定することにより、光度分布に異方性を有し、かつ光度の高い光（照明光）を出射面２ｃから出射させることができる。
【００５３】
そして、同様の条件で導光板２の出射面２ｃ側に拡散シート５を配置した場合（図８参照）において、導光板２の出射面２ｃから矢印Ａ方向（発光ユニット３と反対側の斜め下方側方向）に出射された光（照明光）の光度分布を測定したところ、図１１に示すような測定結果が得られた。
【００５４】
なお、この光度分布の測定では、導光板２の底面２ｂに形成したＶ字状の凹条６の頂角（θ）を１３０°とし、導光板２の出射面２ｃに形成したレンチキュラーレンズ形状の凸条７のアスペクト比を２０％に設定している。
【００５５】
図１１に示した光度分布の測定結果において、導光板２の中央部ｃ（図１０（ａ）参照）が測定点であり、導光板２の出射面２ｃの正面方向（Ｚ軸方向）を出射角度０°とし、Ｚ−Ｙ平面において、Ｙ軸方向の発光ユニット３側が−９０°で、Ｙ軸方向の発光ユニット３と反対側が＋９０°である。
【００５６】
図１１に示した測定結果から明らかなように、導光板２の出射面２ｃ側に拡散シート５を配置することで、出射面２ｃから出射する光を拡散し、異方性を有する光度分布の範囲を滑らかにすることができる。
【００５７】
よって、第２エスカレータ１１の下面１１ａの両側にこの照明装置１ａを複数接続して配置することで、照明装置１ａの出射面から、下方にある第１エスカレータ１０の中央付近側に特に高い指向性を有する（光度分布に異方性を有する）光度の高い光を出射して、第１エスカレータ１０の中央付近側をより明るく照明することができる。
【００５８】
（隣接する各導光板２の端面間の、継ぎ目部付近の詳細な構成）
図１に示したように、複数の照明装置１（図８の照明装置１ａも同様である）を第２エスカレータ１１の下面１１ａの両側に該第２エスカレータ１１の長手方向に沿って配置して長尺照明装置とするために、隣接する照明装置１の各導光板２の端面同士を接続して保持している。
【００５９】
例えば、図１２に示すように、この照明装置１（図８の照明装置１ａも同様である）は、第２エスカレータ１１の下面１１ａの両側に該第２エスカレータ１１の長手方向に沿って取り付けた保持部材１２内に保持、固定され、複数の照明装置１が第２エスカレータ１１の長手方向に沿って配置されている。なお、導光板２の底面２ｂ側の反射シート４と出射面２ｃ側の拡散シート５は、第２エスカレータ１１の長手方向に沿って長尺に形成されており、隣接する各導光板２の端面間（継ぎ目部）を覆うようにして配置するのが好ましい。
【００６０】
図１では、隣接する照明装置１の各導光板２の端面間（継ぎ目部分）に実線を引いているが、反射シート４と出射面２ｃ側の拡散シート５を、隣接する各導光板２の端面間（継ぎ目部分）を覆うようにして配置することにより、実際には継ぎ目部は外部からは非常に見えにくくなる。
【００６１】
しかしながら、施工方法などの関係で、反射シート４、導光板２、拡散シート５の繋ぎ目のいずれかが重なってしまうことがあるが、特に導光板２と拡散シート５の繋ぎ目が重ならないようにするのが好ましい。
【００６２】
図１３に示すように、本実施形態では、隣接する各導光板２の端面間は、所定の隙間ｄを設けて接続されている。各導光板２の長手方向の長さをＬとした場合、この隙間ｄは、導光板２の線膨張分を考慮して、０．００１・Ｌ（ｍｍ）程度空けることが好ましい。例えば、Ｌが１２００ｍｍの場合、１〜２ｍｍ空けて配置するのが好ましい。なお、本実施形態では、導光板２の長手方向の一方側に線膨張による伸びが生じるように、隣接する各導光板２の端面のうち一方側の導光板２の端面付近の両側角部（又は一方側の角部）を、前記保持部材１２（図１２参照）内に固定部材（不図示）よって固定している。
【００６３】
従って、隣接する導光板で、線膨張による伸びを相対する方向にできる箇所においては、当該導光板を密着（隙間なし）させることができる（例えば、後述する図１の、所定角度に曲げられた継ぎ目部Ａでの接続）。
【００６４】
導光板２の一方の側面（入射端面２ａ）には、光源としてのＬＥＤ８が所定間隔で配置されている。詳細には、図１３に示すように、隣接する各導光板２の端面間の継ぎ目部Ａの側面付近にはＬＥＤ（光源）はなく、隣接する各導光板２の端面（継ぎ目部Ａ）から少し離れた位置の側面にＬＥＤ８が配置されている。
【００６５】
図１３に示すように、導光板２の入射端面２ａとＬＥＤ８の発光面との間には、通常、所定のクリアランス（ｑ）が設けられていて、このとき、図１３のｄ１（継ぎ目部Ａの導光板長手方向に沿った中間部と継ぎ目部Ａ側に最近接したＬＥＤ８間の距離）は、ｄ／２＋ｑ≦ｄ１＜ｄ２に設定される。
【００６６】
例えば、隣接する各導光板２の端面間（継ぎ目部Ａ）の隙間ｄを、１〜２ｍｍとしたときに、継ぎ目部Ａの導光板長手方向に沿った中間部と継ぎ目Ａ側に最近接したＬＥＤ８間の距離ｄ１は、０．８〜５ｍｍとしている。また、導光板２の側面（入射端面２ａ）に配置した各ＬＥＤ８間の距離ｄ２は、２〜１０ｍｍとしている。
【００６７】
このように、本実施形態では、隣接する各導光板２の端面間（継ぎ目部Ａ）の隙間ｄを１〜２ｍｍとして、継ぎ目部Ａの側面付近にはＬＥＤ（光源）を配置しなく、前記距離ｄ１を前記距離ｄ２の半分程度となるように設定している。
【００６８】
次に、上記した本実施形態の各導光板２の端面間の継ぎ目構成（図１３参照）による、継ぎ目部Ａ付近での輝度むらの低減効果の評価を、以下の実施例１及び比較例１〜３に基づいて行った。なお、以下の実施例１及び比較例１〜３では、導光板２（長手方向の長さが１０００ｍｍ、幅が２００ｍｍ、厚みが３ｍｍ）の底面に上記したＶ字状の凹条、出射面に例えばレンチキュラーレンズ形状の凸条がそれぞれ形成され、かつ底面側に反射シートが、出射面側に拡散シートがそれぞれ配置されている。
【００６９】
（実施例１）
図１３に示したように、実施例１では、隣接する各導光板２の端面間（継ぎ目部Ａ）の隙間ｄを０〜５ｍｍ、この継ぎ目部Ａの中間部と導光板２の側面（入射端面２ａ）側に配置したＬＥＤ８との間の距離ｄ１を３ｍｍ、導光板２の側面（入射端面２ａ）に配置した各ＬＥＤ８間の距離ｄ２を６．４ｍｍに設定した。
【００７０】
（比較例１）
図１４に示すように、比較例１では、隣接する各導光板２の端面間（継ぎ目部Ａ）の隙間ｄを０〜５ｍｍとし、この継ぎ目部Ａの入射端面２ａ側の側面付近にＬＥＤ８を配置して、この継ぎ目部Ａの側面付近に配置したＬＥＤ８と導光板２の入射端面２ａに配置した各ＬＥＤ８間の距離ｄ２を６．４ｍｍに設定した。なお、導光板２の入射端面２ａとＬＥＤ８の発光面との間には、所定のクリアランス（ｑ）が設けられていている。
【００７１】
図１５（ａ），（ｂ），（ｃ）は、実施例１において、導光板２の側面（入射端面２ａ）に配置した各ＬＥＤ８を発光させて導光板２内に光を入射させたときの、出射面側（図１３の導光板２の表面側）から出射される光の継ぎ目部Ａ付近での輝度の測定結果である。なお、図１５（ａ），（ｂ），（ｃ）の横軸は、継ぎ目部Ａ付近を含む導光板２の長手方向に沿った測定範囲（図１３のＬ１〜Ｌ２の範囲）、縦軸は輝度（ｃｄ／ｍ２）である。
【００７２】
図１５（ａ）は、隣接する各導光板２の端面間（継ぎ目部Ａ）の隙間ｄが０ｍｍ（継ぎ目Ａに隙間がない状態）のとき、図１５（ｂ）は、隣接する各導光板２の端面間（継ぎ目部Ａ）の隙間ｄが２ｍｍのとき、図１５（ｃ）は、隣接する各導光板２の端面間（継ぎ目部Ａ）の隙間ｄが５ｍｍのときである。なお、図１５（ａ），（ｂ），（ｃ）において、ａは導光板２の入射端面２ａ側（ＬＥＤ８側）から少し内側に６ｍｍ入った位置での輝度の測定結果、ｂは導光板２の入射端面２ａから短辺長の１／４内側に入った位置（入光端面より５０ｍｍ）での輝度の測定結果、ｃは導光板２の短辺方向の略中間位置（入光端面より１００ｍｍ）での輝度の測定結果である。
【００７３】
実施例１のように、各導光板２の端面間（継ぎ目部Ａ）上にＬＥＤ８を設置せず、継ぎ目部Ａを挟んで、ＬＥＤ８を設置した場合、隙間ｄを０ｍｍ、２ｍｍとしたときにおいても（図１５（ａ）（ｂ））、この継ぎ目部Ａ付近での継ぎ目方向に沿った輝度むらが小さかった。
【００７４】
なお、隣接する各導光板２の端面間（継ぎ目部Ａ）の隙間ｄを０ｍｍ（図１５（ａ））とした場合、導光板２の長手方向への線膨張によって変形するおそれがあるため、構造的には好ましくない。
【００７５】
また、隣接する各導光板２の端面間（継ぎ目部Ａ）の隙間ｄを５ｍｍ（図１５（ｃ））とした場合、隙間ｄが２ｍｍのときよりも継ぎ目部Ａ付近での輝度が低くなって、継ぎ目部Ａ付近がより暗く見える（継ぎ目部Ａ付近での継ぎ目方向に沿った輝度むらは小さかった）。
【００７６】
また、隣接する各導光板２の端面間（継ぎ目部Ａ）の隙間ｄを３ｍｍとしたときも、図１５（ｂ）の測定結果と略同様であった。
【００７７】
図１６（ａ），（ｂ），（ｃ）は、比較例１において、導光板２の側面（入射端面２ａ）側に配置した各ＬＥＤ８を発光させて導光板２内に光を入射させたときの、出射面側（図１４の導光板２の表面側）から出射される光の継ぎ目部Ａ付近での輝度の測定結果である。なお、図１６（ａ），（ｂ），（ｃ）の横軸は、継ぎ目部Ａ付近を含む導光板２の長手方向に沿った測定範囲（図１４のＬ１〜Ｌ２の範囲）、縦軸は輝度（ｃｄ／ｍ２）である。
【００７８】
図１６（ａ）は、隣接する各導光板２の端面間（継ぎ目部Ａ）の隙間ｄが０ｍｍ（継ぎ目部Ａに隙間がない状態）のとき、図１６（ｂ）は、隣接する各導光板２の端面間（継ぎ目部Ａ）の隙間ｄが２ｍｍのとき、図１６（ｃ）は、隣接する各導光板２の端面間（継ぎ目部Ａ）の隙間ｄが５ｍｍのときである。なお、図１６（ａ），（ｂ），（ｃ）において、ａは導光板２の入射端面２ａ側（ＬＥＤ８側）から少し内側に６ｍｍ入った位置での輝度の測定結果、ｂは導光板２の入射端面２ａから短辺長の１／４内側に入った位置（入光端面より５０ｍｍ）での輝度の測定結果、ｃは導光板２の短辺方向の略中間位置（入光端面より１００ｍｍ）での輝度の測定結果である。
【００７９】
比較例１のように、導光板２の入射端面２ａ側の、継ぎ目部Ａ上にＬＥＤ８が配置されている場合、入射端面２ａに近い位置ａの輝度分布（図１６（ａ），（ｂ），（ｃ）のａ）は、輝度が継ぎ目部Ａを挟んで突出して高く、入光端面２aから離れたｂやｃでは、この継ぎ目部Ａ付近の輝度が逆に低下して暗くなっており、継ぎ目方向に沿った輝度むらが大きくなっている。
【００８０】
（比較例２）
図１７（ａ）は、比較例２における隣接する各導光板２の端面（継ぎ目部Ａ）付近を示す側面図、図１７（ｂ）は、比較例２における隣接する各導光板２の端面（継ぎ目部Ａ）付近を示す平面図である。
【００８１】
図１７（ａ），（ｂ）に示すように、比較例２では、隣接する各導光板２の端面の上側と下側をそれぞれ厚み半分だけ切り欠いて平面端部２ｄ，２ｅを形成している。この半厚み状の平面端部２ｄ，２ｅの長手方向（図の左右方向）の幅は１０ｍｍである。継ぎ目部Ａで、この平面端部２ｄ，２ｅの先端側を上下に重ねて接触させている。そして、隣接する各導光板２の端面（平面端部２ｄ，２ｅ）同士の継ぎ目部Ａ（平面端部２ｄ，２ｅの先端側の接触部分）の側面付近にはＬＥＤ（光源）はなく、隣接する各導光板２の端面（継ぎ目部Ａ）から少し離れた位置の側面（入射端面２ａ）にＬＥＤ８が配置されている。なお、導光板２の入射端面２ａに配置した各ＬＥＤ８間の距離を９．４ｍｍに設定した。
【００８２】
（比較例３）
図１８（ａ）は、比較例３における隣接する各導光板２の端面（継ぎ目部Ａ）付近を示す側面図、図１８（ｂ）は、比較例３における隣接する各導光板２の端面（継ぎ目部Ａ）付近を示す平面図である。
【００８３】
図１８（ａ），（ｂ）に示すように、比較例３では、隣接する各導光板２の端面の上側と下側をそれぞれ厚み半分だけ切り欠いて平面端部２ｄ，２ｅを形成している。この半厚み状の平面端部２ｄ，２ｅの長手方向（図の左右方向）の幅は１０ｍｍである。継ぎ目部Ａで、この平面端部２ｄ，２ｅの先端側を上下に重ねて接触させている。そして、隣接する各導光板２の端面（平面端部２ｄ，２ｅ）同士の継ぎ目部Ａ（平面端部２ｄ，２ｅの先端側の接触部分）の側面付近にＬＥＤ８を配置している。なお、導光板２の入射端面２ａに配置した各ＬＥＤ８間の距離を９．４ｍｍに設定した。
【００８４】
図１９（ａ），（ｂ）は、比較例２において、導光板２の側面（入射端面２ａ）に配置した各ＬＥＤ８を発光させて導光板２内に光を入射させたときの、出射面側（図１７（ａ），（ｂ）の導光板２の表面側）から出射される光の継ぎ目部Ａ付近での輝度の測定結果である。なお、図１９（ａ），（ｂ）の横軸は、継ぎ目部Ａ付近を含む導光板２の長手方向に沿った測定範囲（図１７（ｂ）のＬ１〜Ｌ２の範囲）、縦軸は輝度（ｃｄ／ｍ２）である。
【００８５】
図１９（ａ）は、隣接する各導光板２の端面（平面端部２ｄ，２ｅ）間の継ぎ目部Ａの幅Ｄ（図１７（ａ）参照）が１０ｍｍのとき、図１９（ｂ）は、この継ぎ目部Ａの幅Ｄが５ｍｍのときである。なお、図１９（ａ），（ｂ）において、ａは導光板２の入射端面２ａ側（ＬＥＤ８側）から少し内側に６ｍｍ入った位置での輝度の測定結果、ｂは導光板２の入射端面２ａ側から短辺長の１／４内側に入った位置（入光端面より５０ｍｍ）での輝度の測定結果、ｃは導光板２の短辺方向の略中間位置（入光端面より１００ｍｍ）での輝度の測定結果である。
【００８６】
比較例２のように、各導光板が重なっている継ぎ目Ａ付近の両側にＬＥＤ８が配置されていても、継ぎ目部Ａの幅Ｄ部での輝度（図１９（ａ），（ｂ）のａ）が突出して高くなっていた。
【００８７】
図２０（ａ），（ｂ）は、比較例３において、導光板２の側面（入射端面２ａ）に配置した各ＬＥＤ８を発光させて導光板２内に光を入射させたときの、出射面側（図１８（ａ），（ｂ）の導光板２の表面側）から出射される光の継ぎ目部Ａ付近での輝度の測定結果である。なお、図２０（ａ），（ｂ）の横軸は、継ぎ目部Ａ付近を含む導光板２の長手方向に沿った測定範囲（図１８（ｂ）のＬ１〜Ｌ２の範囲）、縦軸は輝度（ｃｄ／ｍ２）である。
【００８８】
図２０（ａ）は、隣接する各導光板２の端面（平面端部２ｄ，２ｅ）間の継ぎ目部Ａの幅Ｄ（図１８（ａ）参照）が１０ｍｍのとき、図２０（ｂ）は、この継ぎ目部Ａの幅Ｄが５ｍｍのときである。なお、図２０（ａ），（ｂ）において、ａは導光板２の入射端面２ａ側（ＬＥＤ８側）から少し内側に６ｍｍ入った位置での輝度の測定結果、ｂは導光板２の入射端面２ａから短辺長の１／４内側に入った位置（入光端面より５０ｍｍ）での輝度の測定結果、ｃは導光板２の短辺方向の略中間位置（入光端面より１００ｍｍ）での輝度の測定結果である。
【００８９】
比較例３のように、継ぎ目Ａ上にＬＥＤ８が配置されている場合、継ぎ目部Ａの幅Ｄ部において、輝度（図２０（ａ），（ｂ）のａ）が突出して高くなり、輝度むらが非常に大きかった。
【００９０】
ところで、例えば図１に示したエスカレータ１１の長手方向に沿った先端側の下面は、所定角度に曲げられた継ぎ目部（図１のＡ）が設けられている。このため、この継ぎ目部Ａ付近では、隣接する各導光板を所定角度で配置する必要がある。
【００９１】
そこで、本実施形態では、例えば図２１（ａ）に示すように、隣接する一方側（図２１（ａ）では右側）の導光板２に対して、他方側（図２１（ａ）では左側）の導光板２’を所定角度θ（例えば１５０度）で配置し、導光板２の斜面状の端面に、導光板２’の斜面状の端面が接するようにして保持、固定されている。図２１（ａ）において、矢印Ｌは、導光板２、２’からの光の出射方向である。なお、図２１（ａ）に示した導光板２’（図２１（ａ）の左側の導光板）の角度方向は、図１に示したエスカレータ１１の下面の曲げられた継ぎ目部Ａでの導光板の角度方向に対して逆方向としている。
【００９２】
また、図２１（ｂ）に示すように、隣接する各導光板２、２’の端面間の継ぎ目部Ａの側面付近にはＬＥＤ（光源）はなく、隣接する各導光板２、２’の端面（継ぎ目部Ａ）から少し離れた位置の側面（入射端面２ａ）にＬＥＤ８が所定間隔で配置されている。図２１（ｂ）では、隣接する各導光板２、２’の端面（継ぎ目部Ａ）に対して、その両側に配置したＬＥＤ８との間の距離ｄ１を３ｍｍとし、その他の各ＬＥＤ８間の距離を６．４ｍｍに設定した。
【００９３】
なお、図２２（ａ），（ｂ）に示すように、所定角度θ（例えば１５０度）で配置された各導光板２、２’の端面（継ぎ目部Ａ）が、垂直面状となるようにしてもよい。この場合でも、同様に隣接する各導光板２、２’の端面（継ぎ目部Ａ）に対して、その両側に配置したＬＥＤ８との間の距離ｄ１を３ｍｍとし、その他の各ＬＥＤ８間の距離を６．４ｍｍに設定している。
【００９４】
図２３は、導光板２、２’の側面（入射端面２ａ）に配置した各ＬＥＤ８を発光させて導光板２、２’内に光を入射させたときの、出射面側（図２１（ｂ）の導光板２、２’の表面側）から出射される光の継ぎ目部Ａ付近での輝度の測定結果である（図２２（ａ），（ｂ）の場合においても略同様の測定結果であった）。なお、図２２の横軸は、継ぎ目部Ａ付近を含む導光板２、２’の長手方向に沿った測定範囲（図２１（ｂ）のＬ１〜Ｌ２の範囲）、縦軸は輝度（ｃｄ／ｍ２）である。
【００９５】
なお、図２３において、ａは導光板２、２’の入射端面２ａ側（ＬＥＤ８側）から少し内側に６ｍｍ入った位置での輝度の測定結果、ｂは導光板２、２’の入射端面２ａから短辺長の１／４内側に入った位置（入光端面より５０ｍｍ）での輝度の測定結果、ｃは導光板２、２’の短辺方向の略中間位置（入光端面より１００ｍｍ）での輝度の測定結果である。
【００９６】
この測定結果から明らかなように、この継ぎ目部Ａ付近での継ぎ目方向に沿った輝度むらは小さかった。
【００９７】
このように、例えば、図１に示した第２エスカレータ１１（下面１１ａの両側）の長手方向に沿って複数の照明装置１（又は照明装置１ａ）を配置して長尺照明装置とした場合、隣接する照明装置１（又は照明装置１ａ）の各導光板２の隣接する端面は、Ｘ−Ｚ断面が単純に直方形であり、端面間の継ぎ目部分に１〜２ｍｍの隙間を設け、かつ導光板２の一方の側面（入射端面２ａ）に所定間隔でＬＥＤ８を配置する際に、隣接する各導光板２の継ぎ目部Ａの側面付近にはＬＥＤ（光源）を配置しないようにすることで、この継ぎ目部Ａ付近での継ぎ目方向に沿った輝度むらを小さくすることができる。
【００９８】
また、この継ぎ目部Ａの隙間は１〜２ｍｍと小さいので、この継ぎ目Ａ部分と導光板２の出射面との間での輝度変化を小さく抑えることができる。よって、隣接する各導光板２の継ぎ目部Ａ付近を目立たないようにして長尺状に照明できるので、外観上の見栄えを良くすることが可能となる。
【００９９】
更に、隣接する各導光板２の端面間の継ぎ目部Ａに１〜２ｍｍの隙間ｄを設けているので、導光板２が線膨張しても各導光板２の端面同士が干渉することを防止することができる。
【０１００】
また、本実施形態に係る前記照明装置１（照明装置１ａ）は、導光板２の一方の側面（又は両方の側面に）に発光ユニット３を設けた構成のエッジライト方式であるため、照明装置全体の軽量化と薄型化を図ることができる。よって、長尺照明装置とするために、隣接する照明装置１の各導光板２の端面同士を接続することで、軽量で薄型の長尺照明装置を提供することができる。
【０１０１】
なお、前記実施形態では、照明装置１（又は照明装置１ａ）をエスカレータの照明装置に適用した例であったが、これに限定されることなくこれ以外にも、例えばオフィスや工場等に設置される長尺照明装置においても同様に本考案を適用することができる。
【０１０２】
また、前記実施形態の照明装置では、導光板２のＸ軸方向に沿った一方の側面（入射端面２ａ）に発光ユニット３（ＬＥＤ８）を配置した構成であったが、導光板２のＸ軸方向に沿った両方の側面に発光ユニット３（ＬＥＤ８）を配置した構成においても、同様に本考案を適用することができる。
【符号の説明】
【０１０３】
１、１ａ        照明装置
２、２’        導光板
２ａ      入射端面
２ｂ      底面
２ｃ      出射面
３        発光ユニット
４        反射シート
５        拡散シート
６        凹条（凹条パターン）
７        凸条（凸条パターン）
８        ＬＥＤ（一次光源）
１０      第１エスカレータ
１１      第２エスカレータ
１１ａ    下面
Ａ        継ぎ目部
【図１】
0003209438.tif 000003
【図２】
0003209438.tif 000004
【図３】
0003209438.tif 000005
【図４】
0003209438.tif 000006
【図５】
0003209438.tif 000007
【図６】
0003209438.tif 000008
【図７】
0003209438.tif 000009
【図８】
0003209438.tif 000010
【図９】
0003209438.tif 000011
【図１０】
0003209438.tif 000012
【図１１】
0003209438.tif 000013
【図１２】
0003209438.tif 000014
【図１３】
0003209438.tif 000015
【図１４】
0003209438.tif 000016
【図１５】
0003209438.tif 000017
【図１６】
0003209438.tif 000018
【図１７】
0003209438.tif 000019
【図１８】
0003209438.tif 000020
【図１９】
0003209438.tif 000021
【図２０】
0003209438.tif 000022
【図２１】
0003209438.tif 000023
【図２２】
0003209438.tif 000024
【図２３】
0003209438.tif 000025